(57)【要約】【課題】販売された密閉ガラス容器でも、直ちに捨てられることなく、ガラスコップとして使用できて、資源の有効利用ができ、その上、需要者がガラスコップを安価に入手できることを目的とする。【解決手段】端壁部の壁厚が一様肉厚の上拡り筒体あるいは円筒体のガラスコップの開口をアルミシールキャップで覆わせ、アルミシールキャップで覆わせたガラスコップの開口部に樹脂キャップを嵌め、前記ガラスコップと樹脂キャップとをフィルムで覆わせてなる密閉ガラスコップとした。【選択図】　図４
0003097394.tif 000002
【実用新案登録請求の範囲】
【請求項１】
端壁部の壁厚が一様肉厚の上拡り筒体あるいは円筒体のガラスコップの開口をアルミシールキャップで覆わせ、アルミシールキャップで覆わせたガラスコップの開口部に樹脂キャップを嵌め、前記ガラスコップと樹脂キャップとをフィルムで覆わせてなる密閉ガラスコップ。
【請求項２】
端壁部の壁厚が一様肉厚の上拡り筒体あるいは円筒体のガラスコップの開口をアルミシールキャップで覆わせ、アルミシールキャップで覆わせたガラスコップの開口部に樹脂キャップを嵌め、前記ガラスコップと樹脂キャップとを真空パックによりフィルムで覆わせてなる密閉ガラスコップ。
【考案の詳細な説明】
【０００１】
【考案の属する技術分野】
本考案は、酒、ジャム、ケチャップ、マヨネーズ、蜂蜜、野菜、果実の酢漬け、オイル漬け（梅漬け、ホールトマト、ピクルス）あるいはお菓子等の飲食物を収容する密閉ガラスコップに関する。
【０００２】
【従来の技術】
従来の日本酒や果実飲料等を収容する密閉ガラス容器は、図５に示すように、開口部の外面に外向き環状突起の口部リップ１０１が形成してあって、開口を覆わせるキャップの側壁部を口部リップ１０１に係合させている。
【０００３】
【特許文献】
実開平０５−０７１１１８号
【０００４】
【考案が解決しようとする課題】
従来の密閉ガラス容器は、酒、ジャム、ケチャップ、マヨネーズ、蜂蜜、野菜、果実の酢漬け、オイル漬け（梅漬け、ホールトマト、ピクルス）あるいはお菓子等の飲食物を収容して販売しているが、口部リップがあってスマートさがなく、使用後に一般的なガラスコップとして使用されることなく直ちに捨てられる。
【０００５】
本考案では、販売された密閉ガラス容器でも、直ちに捨てられることなく、ガラスコップとして使用できて、資源の有効利用ができ、その上、需要者にガラスコップを安価に入手できるようにしようとするものである。
【０００６】
【課題を解決するための手段】
そこで、本考案は、上記の事情に鑑み、販売された密閉ガラス容器でも、直ちに捨てられることなく、ガラスコップとして使用できて、資源の有効利用ができ、その上、需要者にガラスコップを安価に入手できるようにすべく、端壁部の壁厚が一様肉厚の上拡り筒体あるいは円筒体のガラスコップの開口をアルミシールキャップで覆わせ、アルミシールキャップで覆わせたガラスコップの開口部に樹脂キャップを嵌め、前記ガラスコップと樹脂キャップとをフィルムで覆わせてなる密閉ガラスコップとした。
【０００７】
また、本考案は、販売された密閉ガラス容器でも、直ちに捨てられることなく、ガラスコップとして使用できて、資源の有効利用ができ、その上、需要者にガラスコップを安価に入手できるようにすべく、端壁部の壁厚が一様肉厚の上拡り筒体あるいは円筒体のガラスコップの開口をアルミシールキャップで覆わせ、アルミシールキャップで覆わせたガラスコップの開口部に樹脂キャップを嵌め、前記ガラスコップと樹脂キャップとを真空パックによりフィルムで覆わせてなる密閉ガラスコップとした。
【０００８】
【発明の実施の態様】
本考案を添付する図面の具体的な実施例に基づいて、以下詳細に説明する。
【０００９】
本考案で使用するガラスコップは、図１に示すように、開口部の外面に口部リップのない、「端壁部の壁厚が一様肉厚」のものである。「端壁部の壁厚が一様肉厚」とは口部リップがないことを意味する。口部リップがなければスマートさがある。ただ、キャップの側壁を係合させる部分がないので、キャップの密閉に工夫を施している。
【００１０】
一般的にガラスコップとして使用できるため、本考案で使用するガラスコップは、上方に行くに従って断面積が大きくなる上拡り筒体、あるいは円筒体のものである。本実施例の図面は、全て上拡り筒体で示している。
【００１１】
図１は、上拡り筒体のガラスコップ１の例である。もちろん上拡り筒体、円筒体の若干の変形したものも本考案の範囲内に入る。
【００１２】
図２〜図４により本考案を説明する。
【００１３】
図２では、ガラスコップ１の開口をアルミシールキャップ９で覆わせた状態を示す。符号１０は開封用つまみである。
【００１４】
図３は、アルミシールキャップ９で覆わせたガラスコップ１の開口部に樹脂キャップ８を嵌めた状態である。
【００１５】
図４では、前記ガラスコップ１と樹脂キャップ８の全体をフィルム７で覆わせた状態の模式図である。単に覆わせる場合と真空パックにより覆わせた場合とがある。フィルム７には図示してないが、いいイメージを与える図柄等を印刷しておく。
【００１６】
他の例を図６〜図９に述べる。
【００１７】
図６のガラスコップ１１は前記実施例の図１に示すガラスコップ１に相当する。
【００１８】
図７のアルミシールキャップ１９は前記実施例のアルミシールキャップ９に相当するものであるが、その全周にわたりガラスコップ１１上端縁を挟持する挟持溝２１を備えているところが異なる。符号１２は開封用のつまみである。
【００１９】
図８はアルミシールキャップ１９で覆わせたガラスコップ１１の開口部に樹脂キャップ１８を嵌めた状態である。
【００２０】
図９はガラスコップとアルミシールキャップ１９を覆ったり、真空パックしたりするフィルム１７を示す。
【００２１】
本考案のアルミシールキャップは挟持溝の有無に関係なく、本考案の範囲に含まれ、挟持溝を有するアルミシールキャップと樹脂キャップを使用する場合、単にフィルムで覆う場合もフィルムで真空パックする場合もある。
【００２２】
【考案の効果】
本考案は、端壁部の壁厚が一様肉厚の上拡り筒体あるいは円筒体のガラスコップの開口をアルミシールキャップで覆わせ、アルミシールキャップで覆わせたガラスコップの開口部に樹脂キャップを嵌め、前記ガラスコップと樹脂キャップとをフィルムで覆わせてなる密閉ガラスコップであるので、販売された密閉ガラス容器でも、直ちに捨てられることなく、ガラスコップとして使用できて、資源の有効利用ができ、その上、需要者はガラスコップを安価に入手できる。
【００２３】
また、本考案は、端壁部の壁厚が一様肉厚の上拡り筒体あるいは円筒体のガラスコップの開口をアルミシールキャップで覆わせ、アルミシールキャップで覆わせたガラスコップの開口部に樹脂キャップを嵌め、前記ガラスコップと樹脂キャップとを真空パックによりフィルムで覆わせてなる密閉ガラスコップであるので、販売された密閉ガラス容器でも、直ちに捨てられることなく、ガラスコップとして使用できて、資源の有効利用ができ、その上、需要者はガラスコップを安価に入手できる。
【図面の簡単な説明】
【図１】図１は、上拡り筒体のガラスコップの一部を断面した正面図である。
【図２】図２は、ガラスコップの開口をアルミシールキャップで覆わせた状態の一部を断面した正面図である。
【図３】図３は、アルミシールキャップで覆わせたガラスコップの開口部に樹脂キャップを嵌めた状態の一部を断面した正面図である。
【図４】図４は、ガラスコップと樹脂キャップの全体をフィルムで覆わせた状態の模式図である。
【図５】従来のガラス容器の正面図である。
【図６】図６は、上拡がり筒体のガラスコップの一部を断面した正面図である。
【図７】図７は、アルミシールキャップの一部を断面した正面図である。
【図８】図８は、アルミシールキャップで覆わせたガラスコップの開口部に樹脂キャップを嵌めた状態の一部を断面した正面図である。
【図９】図９は、ガラスコップとアルミシールキャップの全体を覆ったり真空パックしたりするフィルムの模式図である。
【符号の説明】
１・１１…ガラスコップ
９・１９…アルミシールキャップ
８・１８…樹脂キャップ
７・１７…フィルム
【図１】
0003097394.tif 000003
【図２】
0003097394.tif 000004
【図３】
0003097394.tif 000005
【図４】
0003097394.tif 000006
【図５】
0003097394.tif 000007
【図６】
0003097394.tif 000008
【図７】
0003097394.tif 000009
【図８】
0003097394.tif 000010
【図９】
0003097394.tif 000011